(57)【要約】【課題】光学変換素子および光変調装置両者を効率的に冷却することのできる光変調装置、この光変調装置を備えた光学装置および、この光変調装置または光学装置を備えるプロジェクタを提供することにある。【解決手段】本発明に係る液晶パネル４４１Ｇ（４４１）は、光源から射出された光束を画像情報に応じて変調する液晶パネル４４１Ｇ（４４１）であり、一対の透明基板７１１Ａ，７１１Ｂの間に電気光学材料が密閉封入された液晶パネル本体７１０と、この液晶パネル本体７１０の画像形成領域に応じた開口部７２１Ａが形成された底面部７２１およびこの底面部７２１の対向する端縁に立設された一対の側面部７２２からなる略Ｃ字形状を有し、液晶パネル本体７１０を内部に収納する保持枠７２０とを備えている。【選択図】　図４
2004145267.tif 000002
【特許請求の範囲】
【請求項１】
光源から射出された光束を画像情報に応じて変調する光変調装置であって、
一対の透明基板の間に電気光学材料が密閉封入された光変調装置本体と、
この光変調装置本体の画像形成領域に応じた開口部が形成された底面部およびこの底面部の対向する端縁に立設された一対の側面部からなる略Ｃ字形状を有し、前記光変調装置本体を内部に収納する保持枠とを備えていることを特徴とする光変調装置。
【請求項２】
請求項１に記載の光変調装置において、
前記光変調装置本体の光束射出側に配置され、中央に該光変調装置本体の画像形成領域に応じた開口部が形成された枠状部材を有し、
この枠状部材は、前記一対の側面部と対向する位置に形成される一対の折曲部を備え、
前記側面部および前記折曲部が当接接合されていることを特徴とする光変調装置。
【請求項３】
請求項１または請求項２に記載の光変調装置において、
前記光変調装置本体には、前記光束入射側および／または光束射出側に塵埃付着を防止する防塵ガラスが密着して貼り付けられ、
この防塵ガラスは、熱伝導性透明材料から構成されていることを特徴とする光変調装置。
【請求項４】
請求項３に記載の光変調装置において、
前記保持枠には、光束入射側の防塵ガラス用の入射側防塵ガラス位置決め部が、前記開口部の周辺に少なくとも３箇所設けられていることを特徴とする光変調装置。
【請求項５】
請求項４に記載の光変調装置において、
前記入射側防塵ガラス位置決め部は、該光変調装置外から導入される冷却風の下流側に配置され、前記光束入射側の防塵ガラスの端面に、当接するように設けられた２箇所の第１位置決め部と、
この第１位置決め部が当接する光束入射側の防塵ガラスの端面と直交する端面に、当接するように設けられた１箇所の第２位置決め部とからなることを特徴とする光変調装置。
【請求項６】
請求項４または請求項５に記載の光変調装置において、
前記入射側防塵ガラス位置決め部は、前記光束入射側に配置される透明基板の２分の１の厚さと前記光束入射側の防塵ガラスとを合わせた厚さ以上、かつこの透明基板の厚さとこの防塵ガラスとを合わせた厚さよりも小さく形成されていることを特徴とする光変調装置。
【請求項７】
請求項３から請求項６のいずれかに記載の光変調装置において、
前記枠状部材には、光束射出側の防塵ガラス用の射出側防塵ガラス位置決め部が、前記開口部の周辺に少なくとも３箇所設けられていることを特徴とする光変調装置。
【請求項８】
請求項７に記載の光変調装置において、
前記射出側防塵ガラス位置決め部は、該光変調装置外から導入される冷却風の下流側に配置され、前記光束射出側の防塵ガラスの端面に、当接するように設けられた２箇所の第１位置決め部と、
この第１位置決め部が当接する光束射出側の防塵ガラスの端面と直交する端面に、当接するように設けられた１箇所の第２位置決め部とからなることを特徴とする光変調装置。
【請求項９】
請求項７または請求項８に記載の光変調装置において、
前記射出側防塵ガラス位置決め部は、前記光束射出側に配置される透明基板の２分の１の厚さと前記光束射出側の防塵ガラスとを合わせた厚さ以上、かつこの透明基板の厚さとこの防塵ガラスとを合わせた厚さよりも小さく形成されていることを特徴とする光変調装置。
【請求項１０】
請求項１から請求項９のいずれかに記載の光変調装置において、
前記保持枠の側面部先端には、該保持枠内側に屈曲する折曲リブが形成されていることを特徴とする光変調装置。
【請求項１１】
請求項１０に記載の光変調装置において、
前記保持枠には、略中央部分に前記側面部から前記折曲リブに亘る長孔が形成されていることを特徴とする光変調装置。
【請求項１２】
請求項１０または請求項１１に記載の光変調装置において、該光変調装置後段に配置され、射出光束の光学変換を行う光学変換素子との位置決めを行うために、
前記折曲リブ先端には、折曲リブ延出方向に沿って離間して配置される一対の切欠溝が形成されていることを特徴とする光変調装置。
【請求項１３】
複数の色光を色光毎に画像情報に応じて変調する複数の光変調装置と、各光変調装置と対向する複数の光束入射端面を有し、各光変調装置で変調された各色光を合成する色合成光学装置とを備える光学装置であって、
前記色合成光学装置の複数の光束入射端面と交差する端面の少なくともいずれか一方の端面に固定され、熱伝導性材料から構成される台座と、
前記光変調装置および前記光束入射端面の間に介在配置されるとともに、端部が台座に接続され、前記光変調装置から射出された色光の光学変換を行う光学変換膜が基板上に形成された光学変換素子とを備え、
前記光変調装置は、前記請求項１から請求項１２のいずれかに記載の光変調装置であることを特徴とする光学装置。
【請求項１４】
請求項１３に記載の光学装置において、
前記台座は、前記色合成光学装置の端面に載置される板状の台座本体と、この台座本体の端部に、前記色合成光学装置の各光束入射端面に沿って折曲形成され、前記光変調装置が複数箇所で当接接合される複数のリブとを備え、
各リブには、該リブの突出方向先端に形成され、前記光変調装置の複数の接合面を分割するスリットが少なくとも１つ以上形成されていることを特徴とする光学装置。
【請求項１５】
請求項１４に記載の光学装置において、
前記台座には、前記リブの折曲部分に沿って延びる長孔が形成されていることを特徴とする光学装置。
【請求項１６】
請求項１５に記載の光学装置において、
前記光学変換素子は、前記光変調装置の接合面の内側で前記リブに接合され、前記長孔の外側端部は、接合される光学変換素子の端部に沿ってリブの突出方向に屈曲していることを特徴とする光学装置。
【請求項１７】
請求項１３から請求項１６のいずれかに記載の光学装置において、
内部に光源から射出された光束の照明光軸が設定され、該光学装置を収納して前記照明光軸上の所定位置に配置する光学部品用筐体へ固定するために、
前記台座には、取付部が少なくとも２つ以上設けられていることを特徴とする光学装置。
【請求項１８】
請求項１７に記載の光学装置において、
前記取付部は、前記台座の１辺の略中央に１つ設けられ、かつこの１辺に対向する辺の角隅部にそれぞれ１つずつ設けられていることを特徴とする光学装置。
【請求項１９】
請求項１３に記載の光学装置において、
前記台座は、前記光変調装置および前記光学変換素子が接合される複数の端面を有する塊状部材から構成されていることを特徴とする光学装置。
【請求項２０】
請求項１９に記載の光学装置において、
前記光変調装置は、前記端面に複数箇所で当接接合され、
前記台座には、前記色合成光学装置の台座固定端面に沿って延び、端部が前記光変調装置の複数の接合面を分割する溝が形成されていることを特徴とする光学装置。
【請求項２１】
請求項２０に記載の光学装置において、
前記光学変換素子は、前記光変調装置の複数の接合面の内側で接合され、
前記台座には、前記色合成光学装置の台座固定端面に沿って延び、端部が前記光変調装置の接合面および前記光学変換素子の接合面を分割する第２の溝が形成されていることを特徴とする光学装置。
【請求項２２】
請求項１９から請求項２１のいずれかに記載の光学装置において、
内部に光源から射出された光束の照明光軸が設定され、該光学装置を収納して前記照明光軸上の所定位置に配置する光学部品用筐体へ案内および固定するために、
前記台座には、それぞれガイド孔およびネジ孔が形成され、
前記ネジ孔は、前記台座の略中央に形成されていることを特徴とする光学装置。
【請求項２３】
請求項１３から請求項２２のいずれかに記載の光学装置において、
前記基板には、少なくとも前記台座との対向する面に、半田付け可能なメッキ層が形成されていることを特徴とする光学装置。
【請求項２４】
請求項２３に記載の光学装置において、
前記メッキ層は、無電解ニッケル−リン−メッキ層と、半田メッキ層とからなることを特徴とする光学装置。
【請求項２５】
請求項１３から請求項２４のいずれかに記載の光学装置において、
前記基板は、熱伝導率１０Ｗ／（ｍ・Ｋ）以上の部材からなることを特徴とする光学装置。
【請求項２６】
光源から射出された光束を画像情報に応じて変調して光学像を形成して拡大投写するプロジェクタであって、
前記請求項１から請求項１２のいずれかに記載の光変調装置または、前記請求項１３から請求項２５に記載の光学装置を備えることを特徴とするプロジェクタ。
【発明の詳細な説明】
【０００１】
【発明の属する技術分野】
本発明は、光変調装置、この光変調装置を備えた光学装置および、この光変調装置または光学装置を備えるプロジェクタに関する。
【０００２】
【背景技術】
従来、光源ランプから射出された光束を、ダイクロイックミラーを用いて三色の色光Ｒ、Ｇ、Ｂに分離する色分離光学系と、分離された光束を色光毎に画像情報に応じて変調する３枚の、例えば、液晶パネルのような光変調装置、および、各液晶パネルで変調された光束を合成するクロスダイクロイックプリズムのような色合成光学装置を有する光学装置と、を備える三板式のプロジェクタが知られている。
【０００３】
このような三板式のプロジェクタに用いられる光学装置としては、プリズムの光束入射端面に液晶パネルを楔状のスペーサやピンスペーサを介して接合固定したものが知られている（例えば、特許文献１または特許文献２参照）。このような光学装置は、液晶パネルがプリズムに直接接合固定されているため、液晶パネルを単独で支持する構造を設ける必要がなく、プロジェクタの小型化に大きく寄与できるものである。
【０００４】
ここで、このような光学装置は、プリズムの光束入射端面と液晶パネルとの間に偏光膜、視野角補正膜等の光学変換膜が形成された基板を有する光学変換素子が介在配置され、液晶パネルおよび光学変換素子を効率的に冷却する必要がある。
このため、プリズムの複数の光束入射端面と交差する端面の少なくとも一方に金属等の熱伝導性材料からなる台座を接合し、光学変換素子および液晶パネルで発生した熱をこの台座で吸収して、台座を冷却することにより、光学変換素子や液晶パネルを効率的に冷却する構成が提案されている。
【０００５】
【特許文献１】
特開平１１−１６０７８８号公報
【０００６】
【特許文献２】
特開２００３−１２１９３７号公報
【０００７】
【発明が解決しようとする課題】
しかしながら、前述した構成は、台座上に光学変換素子を接合固定し、さらにその上にスペーサを介して液晶パネルを接合固定した構成であるため、光学変換素子または液晶パネルの過熱状態に差が生じると、一方から他方に熱が伝わり、両者を効率的に冷却することができないことがあるという問題がある。
また、光学変換素子上にスペーサを介して液晶パネル等の光変調装置を接合固定した構成では、プリズムの光束入射端面と液晶パネルの間の隙間を十分に確保できないため、冷却効率が悪くなるという問題がある。
【０００８】
本発明の目的は、光学変換素子および光変調装置両者を効率的に冷却することのできる光変調装置、この光変調装置を備えた光学装置および、この光変調装置または光学装置を備えるプロジェクタを提供することにある。
【０００９】
【課題を解決するための手段】
上記目的を達するために、本発明の光変調装置は、光源から射出された光束を画像情報に応じて変調する光変調装置であって、一対の透明基板の間に電気光学材料が密閉封入された光変調装置本体と、この光変調装置本体の画像形成領域に応じた開口部が形成された底面部およびこの底面部の対向する端縁に立設された一対の側面部からなる略Ｃ字形状を有し、前記光変調装置本体を内部に収納する保持枠とを備えていることを特徴とする。
【００１０】
このような本発明によれば、光変調装置本体が一対の側面部を有する保持枠の内部に収納され、側面部により光学変換素子に対して、離間配置されることとなる。従って、光変調装置と光学変換素子の間に、冷却空気を流すことで、効率的に光変調装置の冷却をすることが可能になる。
また、一対の側面部を有する保持枠により、光学変換素子および光変調装置の両者が接触することがないため、両者の間で直接、熱が伝わることがなく、効率的に光変調装置の冷却をすることが可能となる。
【００１１】
本発明の光変調装置では、前記光変調装置本体の光束射出側に配置され、中央に該光変調装置本体の画像形成領域に応じた開口部が形成された枠状部材を有し、この枠状部材は、前記一対の側面部と対向する位置に形成される一対の折曲部を備え、前記側面部および前記折曲部が当接接合されていることが好ましい。
これによれば、例えば、光変調装置本体から発生した熱が、枠状部材に伝達され、枠状部材の折曲部を介して保持枠へ熱を逃がすことができるので、光変調装置本体を効率的に冷却することができる。
【００１２】
本発明の光変調装置では、前記光変調装置本体には、前記光束入射側および／または光束射出側に塵埃付着を防止する防塵ガラスが密着して貼り付けられ、この防塵ガラスは、熱伝導性透明材料から構成されていることが好ましい。
これによれば、防塵ガラスは、熱伝導性透明材料から構成されていることにより、光変調装置本体が発生する熱を、防塵ガラスを介して保持枠に逃がすことができるので、より効率的に光変調装置本体を冷却することができる。
【００１３】
本発明の光変調装置では、前記保持枠には、光束入射側の防塵ガラス用の入射側防塵ガラス位置決め部が、前記開口部の周辺に少なくとも３箇所設けられていることが好ましい。
ここで、入射側防塵ガラス位置決め部としては、ピンやダボ等からなるものを採用できる。
これによれば、入射側防塵ガラス位置決め部が、開口部の周辺に少なくとも３箇所設けられていることにより、光変調装置本体および光束入射側の防塵ガラスと、保持枠との相互の位置合わせの際に、組み立て治具等を必要としない。従って、容易に光変調装置本体と保持枠との位置合わせができる。
【００１４】
本発明の光変調装置では、前記入射側防塵ガラス位置決め部は、該光変調装置外から導入される冷却風の下流側に配置され、前記光束入射側の防塵ガラスの端面に、当接するように設けられた２箇所の第１位置決め部と、この第１位置決め部が当接する光束入射側の防塵ガラスの端面と直交する端面に、当接するように設けられた１箇所の第２位置決め部とからなることが好ましい。
【００１５】
これによれば、第１位置決め部が防塵ガラスの一方の端面に当接し、第２位置決め部がこの第１位置決め部が当接する光束入射側の防塵ガラスの端面と直交する端面に当接することにより、防塵ガラスの２方向の位置決めがなされるので、防塵ガラスを確実に位置決め・固定することができる。
また、第１位置決め部は、該光変調装置外から導入される冷却風の下流側に配置されていることにより、冷却風の導入を阻害することがないので、効率的に光変調装置本体を冷却することができる。
【００１６】
本発明の光変調装置では、前記入射側防塵ガラス位置決め部は、前記光束入射側に配置される透明基板の２分の１の厚さと前記光束入射側の防塵ガラスとを合わせた厚さ以上、かつこの透明基板の厚さとこの防塵ガラスとを合わせた厚さよりも小さく形成されていることが好ましい。
これによれば、入射側防塵ガラス位置決め部が、透明基板および光束入射側の防塵ガラスの両方に当接することができるので、透明基板とこの防塵ガラスとの位置ずれを起こすことがない。
【００１７】
本発明の光変調装置では、前記枠状部材には、光束射出側の防塵ガラス用の射出側防塵ガラス位置決め部が、前記開口部の周辺に少なくとも３箇所設けられていることが好ましい。
これによれば、光束射出側の防塵ガラス用の射出側防塵ガラス位置決め部が、開口部の周辺に少なくとも３箇所設けられていることにより、光変調装置本体および光束射出側の防塵ガラスと、保持枠との相互の位置合わせの際に、組み立て治具等を必要としない。従って、容易に光変調装置本体と保持枠との位置合わせができる。
【００１８】
本発明の光変調装置では、前記射出側防塵ガラス位置決め部は、該光変調装置外から導入される冷却風の下流側に配置され、前記光束射出側の防塵ガラスの端面に、当接するように設けられた２箇所の第１位置決め部と、この第１位置決め部が当接する光束射出側の防塵ガラスの端面と直交する端面に、当接するように設けられた１箇所の第２位置決め部とからなることが好ましい。
これによれば、第１位置決め部が防塵ガラスの一方の端面に当接し、第２位置決め部がこの第１位置決め部が当接する光束射出側の防塵ガラスの端面と直交する端面に当接することにより、防塵ガラスの２方向の位置決めがなされるので、防塵ガラスを確実に位置決め・固定することができる。
また、第１位置決め部は、該光変調装置外から導入される冷却風の下流側に配置されていることにより、冷却風の導入を阻害することがないので、効率的に光変調装置本体を冷却することができる。
【００１９】
本発明の光変調装置では、前記射出側防塵ガラス位置決め部は、前記光束射出側に配置される透明基板の２分の１の厚さと前記光束射出側の防塵ガラスとを合わせた厚さ以上、かつこの透明基板の厚さとこの防塵ガラスとを合わせた厚さよりも小さく形成されていることが好ましい。
これによれば、入射側防塵ガラス位置決め部が、透明基板および光束入射側の防塵ガラスの両方に当接することができるので、透明基板とこの防塵ガラスとの位置ずれを起こすことがない。
【００２０】
本発明の光変調装置では、前記保持枠の側面部先端には、該保持枠内側に屈曲する折曲リブが形成されていることが好ましい。
これによれば、折曲リブの部分により、例えば、保持枠と他の部材との接触面積を増やすことができる。従って、光変調装置本体で発する熱を効率的に、光変調装置の外に逃がすことができるので、効率的に光変調装置を冷却することができる。
【００２１】
本発明の光変調装置では、前記保持枠には、略中央部分に前記側面部から前記折曲リブに亘る長孔が形成されていることが好ましい。
これによれば、例えば、外部からの熱により保持枠が膨張しても、長孔により熱による応力が緩和されるため、保持枠内の光変調装置本体に応力がかかることを防止することができる。
【００２２】
本発明の光変調装置では、該光変調装置後段に配置され、射出光束の光学変換を行う光学変換素子との位置決めを行うために、前記折曲リブ先端には、折曲リブ延出方向に沿って離間して配置される一対の切欠溝が形成されていることが好ましい。
これによれば、一対の切欠溝により光学変換素子の該光変調装置の位置決めを行う。従って、位置決めの際に、治具等を必要としないので、製造手順の簡略化を図ることができる。
【００２３】
本発明の光学装置は、複数の色光を色光毎に画像情報に応じて変調する複数の光変調装置と、各光変調装置と対向する複数の光束入射端面を有し、各光変調装置で変調された各色光を合成する色合成光学装置とを備える光学装置であって、前記色合成光学装置の複数の光束入射端面と交差する端面の少なくともいずれか一方の端面に固定され、熱伝導性材料から構成される台座と、前記光変調装置および前記光束入射端面の間に介在配置されるとともに、端部が台座に接続され、前記光変調装置から射出された色光の光学変換を行う光学変換膜が基板上に形成された光学変換素子とを備え、前記光変調装置は、前述の光変調装置であることを特徴とする。
これによれば、光変調装置は、前述した光変調装置であることにより、前述と同様の作用・効果を得ることができる。従って、光学変換素子および光変調装置両者を効率的に冷却することのできる光学装置とすることができる。
【００２４】
本発明の光学装置では、前記台座は、前記色合成光学装置の端面に載置される板状の台座本体と、この台座本体の端部に、前記色合成光学装置の各光束入射端面に沿って折曲形成され、前記光変調装置が複数箇所で当接接合される複数のリブとを備え、各リブには、該リブの突出方向先端に形成され、前記光変調装置の複数の接合面を分割するスリットが少なくとも１つ以上形成されていることが好ましい。
これによれば、例えば、外部からの熱により台座が膨張しても、スリットにより熱による応力が緩和されるため、台座に接続された光学変換素子や光変調装置の相対的な位置が変化することはない。従って、光束入射端面に対して光変調装置等が位置ずれを起こすことを確実に防止できる。
【００２５】
本発明の光学装置では、前記台座には、前記リブの折曲部分に沿って延びる長孔が形成されていることが好ましい。
これによれば、長孔により、光学装置外からの冷却風を通すことができるので、効率的に光学装置を冷却することができる。
【００２６】
本発明の光学装置では、前記光学変換素子は、前記光変調装置の接合面の内側で前記リブに接合され、前記長孔の外側端部は、接合される光学変換素子の端部に沿ってリブの突出方向に屈曲していることが好ましい。
これによれば、長孔の外側端部は、接合される光学変換素子の端部に沿ってリブの突出方向に屈曲していることにより、長孔の外側端部が、光学変換素子の基板接合面と、保持枠の接合面とを分断するので、光学変換素子と光変調装置との間の熱の移動を少なくすることができる。
【００２７】
本発明の光学装置では、前記台座には、内部に光源から射出された光束の照明光軸が設定され、該光学装置を収納して前記照明光軸上の所定位置に配置する光学部品用筐体へ固定するために、前記台座には、取付部が少なくとも２つ以上設けられていることが好ましい。
ここで、取付部としては、例えば、台座に孔を形成し、ネジ孔とされているものでもよいし、台座が固定される色合成光学装置の端面より延出している腕状のものとしてもよい。
これによれば、取付部が少なくとも２つ以上設けられていることにより、光学装置と光学部品用筐体との接触面積を増やすことになるから、効率よく光学装置で発生した熱を光学部品用筐体に逃がすことができるので、光学装置を効率よく冷却することができる。
【００２８】
本発明の光学装置では、前記取付部は、前記台座の１辺の略中央に１つ設けられ、かつこの１辺に対向する辺の角隅部にそれぞれ１つずつ設けられていることが好ましい。
これによれば、取付部により３箇所で、光学装置を光学部品用筐体に取り付けて、固定するので、光学装置を光学部品用筐体に確実に固定することができる。
【００２９】
本発明の光学装置では、前記台座は、前記光変調装置および前記光学変換素子が接合される複数の端面を有する塊状部材から構成されていることが好ましい。
これによれば、例えば、光学変換素子や光変調装置が発する熱を台座から逃がすことができるので、効率的に、光学変換素子や光変調装置を冷却することができる。
【００３０】
本発明の光学装置では、前記光変調装置は、前記端面に複数箇所で当接接合され、前記台座には、前記色合成光学装置の台座固定端面に沿って延び、端部が前記光変調装置の複数の接合面を分割する溝が形成されていることが好ましい。
これによれば、例えば、外部からの熱により台座が膨張しても、光変調装置の複数の接合面を分割する溝により熱による応力が緩和されるため、台座に接続された光学変換素子や光変調装置の相対的な位置が変化することはない。従って、光束入射端面に対して光変調装置等が位置ずれを起こすことを確実に防止できる。
【００３１】
本発明の光学装置では、前記光学変換素子は、前記光変調装置の複数の接合面の内側で接合され、前記台座には、前記色合成光学装置の台座固定端面に沿って延び、端部が前記光変調装置の接合面および前記光学変換素子の接合面を分割する第２の溝が形成されていることが好ましい。
これによれば、例えば、第２の溝が光変調装置の接合面および前記光学変換素子の接合面を分割するから光学変換素子と光変調装置が直接接触することがない。従って、光学変換素子と光変調装置の両者の間で直接、熱が伝わることがなく、効率的に光学変換素子および光変調装置の冷却をすることが可能となる。
【００３２】
本発明の光学装置では、内部に光源から射出された光束の照明光軸が設定され、該光学装置を収納して前記照明光軸上の所定位置に配置する光学部品用筐体へ案内および固定するために、前記台座には、それぞれガイド孔およびネジ孔が形成され、前記ネジ孔は、前記台座の略中央に形成されていることが好ましい。
これによれば、光学装置は、ガイド孔により光学部品用筐体内の所定の位置に案内され、ネジ孔により光学部品用筐体へネジ固定されるので、光学装置を光学部品用筐体へ確実に位置決め固定することができる。
【００３３】
本発明の光学装置では、前記基板には、少なくとも前記台座との対向する面に、半田付け可能なメッキ層が形成されていることが好ましい。
これによれば、基板と台座との固着により、光学変換素子で発生する熱が、台座に逃げることができるので、より一層光学変換素子の冷却を効率的に行うことができる。
【００３４】
本発明の光学装置では、前記メッキ層は、無電解ニッケル−リン−メッキ層と、半田メッキ層とからなることが好ましい。
これによれば、無電解ニッケル−リン−メッキ層は、均一な膜厚で形成することができるので、例えば、保持枠等の複雑な形状のものでも剥離したりすることがない。従って、均一な膜厚を有するため、耐食性、耐摩耗性を向上させることができる。
【００３５】
本発明の光学装置では、前記基板は、熱伝導率１０Ｗ／（ｍ・Ｋ）以上の部材からなることが好ましい。
ここで、基板が、熱伝導率１０Ｗ／（ｍ・Ｋ）未満の部材からなると、光学変換素子で発する熱が、台座まで十分に伝達しない場合がある。
【００３６】
本発明のプロジェクタは、光源から射出された光束を画像情報に応じて変調して光学像を形成して拡大投写するプロジェクタであって、前述の光変調装置または、前述の光学装置を備えることを特徴とする。
これによれば、前述と同様の作用・効果を得ることができる。
【００３７】
【発明の実施の形態】
〔１．本発明の第１実施形態〕
以下、本発明の第１実施形態に係るプロジェクタを図面を用いて説明する。
〔１−１．プロジェクタの主な構成〕
図１は、本発明の第１実施形態に係るプロジェクタ１の内部構造を模式的に示す平面図である。プロジェクタ１は、全体略直方体状で樹脂製の外装ケース２と、光源装置４１３から射出された光束を光学的に処理して画像情報に応じた光学像を形成する光学ユニット４と、プロジェクタ１内に発生する熱を外部へと放出する冷却ユニット５と、外部から供給された電力をこれらのユニット４、５等に供給する電源ユニット３とを備える。
【００３８】
外装ケース２は、各ユニット３〜５を収納するものであり、具体的な図示を省略するが、プロジェクタ１の上面部、前面部、および側面部を構成するアッパーケースと、プロジェクタ１の底面部、側面部、および背面部を構成するロアーケースとを備えて構成される。
【００３９】
図１に示すように、外装ケース２の前面には、切欠部２Ａが形成されている。外装ケース２に収納された光学ユニット４の一部は、この切欠部２Ａから外部側へ露出している。また、外装ケース２の前面において、切欠部２Ａの両側には、プロジェクタ１内の空気を排出するための排気口２Ｂ、２Ｃが形成されている。外装ケース２の底面において、光学ユニット４を構成する後述する光学装置４４に対応する部分には、外部から冷却空気を吸入するための図示しない吸気口が形成されている。
【００４０】
電源ユニット３は、図１に示すように、外装ケース２内における光学ユニット４の図１中右側に配置されている。この電源ユニット３は、具体的な図示を省略するが、インレットコネクタに差し込まれた電源ケーブルを介して供給された電力を、ランプ駆動回路（バラスト）や、ドライバーボード（図示略）等に供給するものである。
前記ランプ駆動回路は、供給された電力を光学ユニット４の光源ランプ４１１に供給するものである。前記ドライバーボードは、図示を省略するが、光学ユニット４の上方に配置され、入力された画像情報の演算処理を行った上で、後述する液晶パネル４４１Ｒ、４４１Ｇ、４４１Ｂの制御等を行うものである。
【００４１】
電源ユニット３および光学ユニット４は、アルミニウムまたはマグネシウム等の金属製のシールド板によって覆われている。また、前記ランプ駆動回路およびドライバーボードもアルミニウムまたはマグネシウム等の金属製のシールド板によって覆われている。これにより、電源ユニット３やドライバーボード等からの外部への電磁ノイズの漏れが防止されている。
【００４２】
冷却ユニット５は、プロジェクタ１内の流路に冷却空気を取り込んで、この取り込んだ冷却空気にプロジェクタ１内で発生した熱を吸収させ、この暖められた冷却空気を外部へと排出することにより、プロジェクタ１内を冷却するものである。この冷却ユニット５は、軸流吸気ファン５１と、シロッコファン５２と、軸流排気ファン５３とを備える。
【００４３】
軸流吸気ファン５１は、光学ユニット４の光学装置４４の下方で、かつ外装ケース２の前記吸気口の上方に配置されている。軸流吸気ファン５１は、この吸気口を介して、外部から冷却空気を光学ユニット４内に吸入し、光学装置４４を冷却する。
【００４４】
シロッコファン５２は、光学ユニット４の光源装置４１３の下方に配置されている。シロッコファン５２は、軸流吸気ファン５１によって吸入された光学ユニット４内の冷却空気を引き寄せ、この引き寄せる過程で光源装置４１３の熱を奪い、光学ユニット４の下方に配置されたダクト５２Ａを通って、排気口２Ｂから暖められた冷却空気を外部へ排出する。
【００４５】
軸流排気ファン５３は、外装ケース２の前面に形成された排気口２Ｃと電源ユニット３との間に配置されている。軸流排気ファン５３は、電源ユニット３によって暖められた電源ユニット３近傍の空気を吸入して、排気口２Ｃから外部へと排出する。
【００４６】
〔１−２．光学ユニットの構成〕
図２は、光学ユニット４を模式的に示す平面図である。
光学ユニット４は、図２に示すように、平面略Ｌ字状に形成され、光源ランプ４１１から射出された光束を光学的に処理して、画像情報に対応した光学画像を形成するユニットであり、インテグレータ照明光学系４１と、色分離光学系４２と、リレー光学系４３と、光学装置４４と、投写光学系としての投写レンズ４６とを備える。これら光学部品４１〜４４、４６は、光学部品用筐体としてのライトガイド４７内に収納され固定される。
【００４７】
インテグレータ照明光学系４１は、図２に示すように、光学装置４４を構成する３枚の液晶パネル４４１（赤、緑、青の色光毎にそれぞれ液晶パネル４４１Ｒ、４４１Ｇ、４４１Ｂと示す）の画像形成領域をほぼ均一に照明するための光学系であり、光源装置４１３と、第１レンズアレイ４１８と、第２レンズアレイ４１４と、偏光変換素子４１５と、重畳レンズ４１６とを備える。
【００４８】
光源装置４１３は、放射状の光線を射出する光源ランプ４１１と、この光源ランプ４１１から射出された放射光を反射する楕円面鏡４１２と、光源ランプ４１１から射出され楕円面鏡４１２により反射された光を平行光とする平行化凹レンズ４１３Ａとを備える。なお、平行化凹レンズ４１３Ａの平面部分には、図示しないＵＶフィルタが設けられている。また、光源ランプ４１１としては、ハロゲンランプやメタルハライドランプ、高圧水銀ランプが多用される。さらに、楕円面鏡４１２および平行化凹レンズ４１３Ａの代わりに、放物面鏡を用いてもよい。
【００４９】
第１レンズアレイ４１８は、光軸方向から見て略矩形状の輪郭を有する小レンズがマトリクス状に配列された構成を有する。各小レンズは、光源ランプ４１１から射出される光束を複数の部分光束に分割する。各小レンズの輪郭形状は、液晶パネル４４１の画像形成領域の形状とほぼ相似形をなすように設定されている。例えば、液晶パネル４４１の画像形成領域のアスペクト比（横と縦の寸法の比率）が４：３であるならば、各小レンズのアスペクト比も４：３に設定する。
【００５０】
第２レンズアレイ４１４は、第１レンズアレイ４１８と略同様な構成を有し、小レンズがマトリクス状に配列された構成を有する。この第２レンズアレイ４１４は、重畳レンズ４１６とともに、第１レンズアレイ４１８の各小レンズの像を液晶パネル４４１上に結像させる機能を有する。
【００５１】
偏光変換素子４１５は、第２レンズアレイ４１４と重畳レンズ４１６との間に配置されるとともに、第２レンズアレイ４１４と一体でユニット化されている。このような偏光変換素子４１５は、第２レンズアレイ４１４からの光を１種類の偏光光に変換するものであり、これにより、光学装置４４での光の利用効率が高められている。また、図２中の二点鎖線４１０で示すように、ユニット化された偏光変換素子４１５および第２レンズアレイ４１４と、第１レンズアレイ４１８とは、一体的にユニット化されている。
【００５２】
具体的に、偏光変換素子４１５によって１種類の偏光光に変換された各部分光は、重畳レンズ４１６によって最終的に光学装置４４の液晶パネル４４１Ｒ、４４１Ｇ、４４１Ｂ上にほぼ重畳される。偏光光を変調するタイプの液晶パネル４４１を用いたプロジェクタ１（光学装置４４）では、１種類の偏光光しか利用できないため、他種類のランダムな偏光光を発する光源ランプ４１１からの光のほぼ半分が利用されない。そこで、偏光変換素子４１５を用いることにより、光源ランプ４１１からの射出光を全て１種類の偏光光に変換し、光学装置４４での光の利用効率を高めている。なお、このような偏光変換素子４１５は、例えば特開平８−３０４７３９号公報に紹介されている。
【００５３】
色分離光学系４２は、２枚のダイクロイックミラー４２１、４２２と、反射ミラー４２３、４２４とを備え、ダイクロイックミラー４２１、４２２によりインテグレータ照明光学系４１から射出された複数の部分光束を赤、緑、青の３色の色光に分離する機能を有する。
【００５４】
リレー光学系４３は、入射側レンズ４３１、リレーレンズ４３３、および反射ミラー４３２、４３４を備え、色分離光学系４２で分離された色光（赤色光）を液晶パネル４４１Ｒまで導く機能を有する。
【００５５】
このような光学系４において、色分離光学系４２のダイクロイックミラー４２１では、インテグレータ照明光学系４１から射出された光束の青色光成分が透過するとともに、赤色光成分と緑色光成分とが反射する。このダイクロイックミラー４２１によって透過した青色光成分は、反射ミラー４２３で反射し、フィールドレンズ４１７を通って青色用の液晶パネル４４１Ｂに達する。このフィールドレンズ４１７は、第２レンズアレイ４１４から射出された各部分光束をその中心軸（主光線）に対して平行な光束に変換する。他の液晶パネル４４１Ｒ、４４１Ｇの光入射側に設けられたフィールドレンズ４１７も同様である。
【００５６】
ダイクロイックミラー４２１で反射された赤色光と緑色光のうちで、緑色光はダイクロイックミラー４２２によって反射し、フィールドレンズ４１７を通って緑色用の液晶パネル４４１Ｇに達する。一方、赤色光はダイクロイックミラー４２２を透過してリレー光学系４３を通り、さらにフィールドレンズ４１７を通って赤色光用の液晶パネル４４１Ｒに達する。
【００５７】
なお、赤色光にリレー光学系４３が用いられているのは、赤色光の光路の長さが他の色光の光路長さよりも長いため、光の発散等による光の利用効率の低下を防止するためである。すなわち、入射側レンズ４３１に入射した部分光束をそのまま、フィールドレンズ４１７に伝えるためである。なお、リレー光学系４３には、３つの色光のうちの赤色光を通す構成としたが、青色光等のその他の色光を通す構成としてもよい。
【００５８】
光学装置４４は、入射された光束を画像情報に応じて変調しカラー画像を形成するものであり、色分離光学系４２から射出された光束が入射され、いわゆる偏光子となる入射側偏光板４４４と、各入射側偏光板４４４の光路後段に配置される光変調装置としての３枚の液晶パネル４４１Ｒ、４４１Ｇ、４４１Ｂと、各液晶パネル４４１Ｒ、４４１Ｇ、４４１Ｂの光路後段に配置され、いわゆる検光子となる射出側偏光板４６０と、クロスダイクロイックプリズム４４３とを備える。光学部品４４１、４４３、４６０は一体的に形成されて光学装置本体４８を構成する。なお、光学装置本体４８の詳細については後述する。
【００５９】
入射側偏光板４４４は、光学装置本体４８とは別体として構成されている。この入射側偏光板４４４は、色分離光学系４２で分離された各光束のうち、一定方向の偏光光のみ透過させ、その他の方向の光束を吸収するものである。なお、入射側偏光板４４４と射出側偏光板４６０との偏光軸の方向は、互いに直交するように設定されている。
【００６０】
以上説明した各光学部品４１〜４４は、光学部品用筐体としての熱伝導性材料からなるライトガイド４７内に収容されている。
ライトガイド４７は、図示を省略するが、前述した各光学部品４１４〜４１８、４２１〜４２３、４３１〜４３４、４４４（図２）を上方からスライド式に嵌め込む溝部がそれぞれ設けられた下ライトガイドと、この下ライトガイドの上部の開口側を閉塞する蓋状の上ライトガイドとを備える。また、平面略Ｌ字状のライトガイド４７の一端側には、光源装置４１３が収容され、他端側にはヘッド部４９を介して投写レンズ４６が固定されている。
【００６１】
〔１−３．光学装置を構成する光学装置本体の構成〕
図３は、光学装置本体４８を示す斜視図である。図４は、光学装置４４を構成する光学装置本体４８を示す分解斜視図である。なお、図４には、３つの液晶パネル４４１Ｒ、４４１Ｇ、４４１Ｂ側のうち、液晶パネル４４１Ｇ側のみを代表して分解して図示し、他の液晶パネル４４１Ｒ、４４１Ｂの分解の図示を省略する。
【００６２】
光学装置本体４８は、図４に示すように、クロスダイクロイックプリズム４４３と、上側台座４４６および下側台座４４７と、射出側偏光板４６０と、液晶パネル４４１Ｇ（４４１）とを備えている。
【００６３】
クロスダイクロイックプリズム４４３は、３枚の液晶パネル４４１Ｒ、４４１Ｇ、４４１Ｂから射出され各色光毎に変調された画像を合成してカラー画像を形成するものであり、外観略立方体状の六面体である。クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。このクロスダイクロイックプリズム４４３で合成されたカラー画像は、投写レンズ４６から射出され、スクリーン上に拡大投写される。
【００６４】
このクロスダイクロイックプリズム４４３の複数の光束入射端面と交差する端面である上下面には、それぞれ上側台座４４６および下側台座４４７が固定されている。上側台座４４６は、熱伝導性材料からなる板金で構成され、クロスダイクロイックプリズム４４３の上面に固定されている。一方、下側台座４４７は、クロスダイクロイックプリズム４４３の下面に固定されている。
【００６５】
上側台座４４６は、クロスダイクロイックプリズム４４３の上面と略同じ外形寸法を有し、４２合金（ヤマハメタニクス（株）製、　成分　Ｎｉ　４２ｗｔ％、Ｆｅ　５８ｗｔ％、膨張係数　４０×１０−７〜４７×１０−７以下同様）からなる。
上側台座４４６は、クロスダイクロイックプリズム４４３の上面に載置される板状の台座本体４４８と、この台座本体４４８の端部に、クロスダイクロイックプリズム４４３の各光束入射端面に沿って折曲形成され、液晶パネル４４１が複数箇所で当接接合されるリブ４４９、４５０、４５０、４５１と備え、台座本体４４８の４辺の端縁よりそれぞれ図示上方垂直にリブ４４９、４５０、４５０、４５１が立設されたものである。
【００６６】
また、台座本体４４８の中央部付近には、略円形状にくりぬかれた、めくら孔状態の位置決め孔４４８Ａが２箇所形成されている。これは、台座本体４４８がクロスダイクロイックプリズム４４３とを接着固定するときの治具（図示省略）への位置決めとして利用される。さらに、台座本体４４８のリブ４５０の端縁部分には、スリット４４８Ｂがそれぞれ形成されている。
【００６７】
リブ４４９、４５１は、台座本体４４８の対向する２辺に設けられている。リブ４４９は、液晶パネル４４１Ｇが固定される光束入射端面側に設けられ、リブ４５１は、液晶パネル４４１Ｇが固定される光束入射端面側と対向する端面側に設けられているものである。リブ４４９、４５１は、光束入射端面の幅と略同じ幅に形成されている。
【００６８】
リブ４４９には、リブ４４９の突出方向先端の略中央部分に形成され、液晶パネル４４１Ｇ（４４１）の複数の接合面を分割するスリット４４９Ａが１つ形成されている。スリット４４９Ａは、リブ４４９の上側の端面から高さ方向の略半分ほどの高さにまで達するように形成されている。
また、リブ４４９および台座本体４４８には、リブ４４９の折曲部分に沿って延びる断面Ｌ字形の長孔４４９Ｂが２箇所形成されている。
長孔４４９Ｂは、スリット４４９Ａを中心として略対称にリブ４４９の外縁側にそれぞれ形成されている。
【００６９】
さらに、リブ４４９の長孔４４９Ｂの外側端部には、接合される射出側偏光板４６０の端部に沿ってリブの突出方向に屈曲してのびるスリット４４９Ｃが形成されている。スリット４４９Ｃは、リブ４４９の高さ方向の略半分ほどの高さから長孔４４９Ｂまで形成されている。
また、リブ４５１および台座本体４４８には、リブ４５１の折曲部分に沿って延びる断面Ｌ字形の長孔４５１Ｂが１箇所形成されている。
【００７０】
一方、２つのリブ４５０は、リブ４４９が設けられた台座本体４４８の２辺に対して直交する２辺に設けられている。２つのリブ４５０は、液晶パネル４４１Ｒおよび液晶パネル４４１Ｂが固定される光束入射端面側にそれぞれ設けられているものである。
【００７１】
リブ４５０には、リブ４４９と同様にして、リブ４５０の突出方向先端の略中央部分に形成され、液晶パネル４４１Ｂ、４４１Ｒ（４４１）の複数の接合面を分割するスリット４５０Ａが１つ形成されている。スリット４５０Ａは、リブ４５０の上側の端面から高さ方向の略半分ほどの高さにまで達するように形成されている。
また、リブ４５０および台座本体４４８には、リブ４５０の折曲部分に沿って延びる断面Ｌ字形の長孔４５０Ｂが２箇所形成されている。
長孔４５０Ｂは、スリット４５０Ａを中心として略対称にリブ４５０の外縁側にそれぞれ形成されている。
【００７２】
さらに、リブ４５０の長孔４５０Ｂの外側端部には、接合される射出側偏光板４６０の端部に沿ってリブの突出方向に屈曲してのびるスリット４５０Ｃが形成されている。スリット４５０Ｃは、リブ４５０の高さ方向の略半分ほどの高さから長孔４５０Ｂまで形成されている。
【００７３】
上側台座４４６を製造する際には、矩形状の板金をリブ４４９等に対応するような形状に打ち抜き加工した後、リブ４４９等のように垂直に折り曲げて製造する。
【００７４】
下側台座４４７は、上側台座４４６と略同じ構成であって、クロスダイクロイックプリズム４４３の下面と略同じ外形寸法を有し、４２合金（ヤマハメタニクス（株）製）からなる。
また、下側台座４４７と上側台座４４６とは、下側台座４４７には、ライトガイド４７へ固定するための取付部４５５が少なくとも２つ以上設けられている点も異なる。
【００７５】
具体的には、この取付部４５５は、箱状の本体４５４から延出されているものである。本体４５４は、台座本体４４８と略同じ外径寸法を有し、熱伝導性材料から構成され、本実施形態では、４２合金（ヤマハメタニクス（株）製）である。
本体４５４に対して、腕状の取付部４５５は、下側台座４４７のリブ４５１側の１辺の略中央に１つ設けられ、かつこの１辺に対向するリブ４４９側の辺の角隅部にそれぞれ１つずつ設けられている。取付部４５５には、中心に取付孔４５５Ａが形成されている。すなわち光学装置４４は、取付孔４５５Ａとライトガイド４７に設けた位置決め用ピン（図示省略）に位置決めされて、以上の下側台座４４７の取付部４５５を介して、ライトガイド４７（図１）に当接して固定されている。
【００７６】
射出側偏光板４６０は、液晶パネル４４１Ｇ（４４１）および光束入射端面の間に介在配置されるとともに、端部が上側台座４４６および下側台座４４７に接続され、液晶パネル４４１から射出された色光の偏光を行う偏光膜４６１Ａが基板４６１上に形成されたものである。
基板４６１は、熱伝導率１０Ｗ／（ｍ・Ｋ）以上の部材からなればよく、本実施形態では、サファイアガラス製の矩形の板材である。このため、この基板４６１は、その熱伝導率が約４０Ｗ／（ｍ・Ｋ）と高いうえに、その硬度も非常に高く、傷がつきにくく透明度が高いものである。
ここで、基板４６１が、熱伝導率１０Ｗ／（ｍ・Ｋ）未満の部材からなると、射出側偏光板４６０で発する熱が、上側台座４４６および下側台座４４７まで十分に伝達しない場合がある。
【００７７】
基板４６１には、上側台座４４６および下側台座４４７との対向する面に、半田付け可能なメッキ層が形成されている。
このメッキ層は、無電解ニッケル−リン−メッキ層と、半田メッキ層とからなる。
射出側偏光板４６０の基板４６１の図示上下方向の端部は、それぞれ、上側台座４４６および下側台座４４７のリブ４４９と、半田付け等により接続され、射出側偏光板４６０は、液晶パネル４４１Ｇ（４４１）の接合面の内側でリブ４４９に接合されている。
【００７８】
偏光膜４６１Ａは、基板４６１上の図示上下方向の中間部分に、基板４６１の図示左右方向の幅と略同じ幅で、略正方形状に形成され、ポリビニルアルコール（ＰＶＡ）にヨウ素を吸着・分散させてフィルム状とした後に、このフィルム状のものを一定方向に延伸し、その後、延伸されたフィルムの両面にアセテートセルロース系のフィルムを接着剤で積層することにより構成されたものである。
【００７９】
光変調装置である液晶パネル４４１Ｇ（４４１）は、光変調装置本体としての液晶パネル本体７１０と、保持枠７２０と、枠状部材７３０とを備えている。
液晶パネル本体７１０は、ガラスなどからなる一対の透明基板７１１Ａ、７１１Ｂを備える。一対の透明基板７１１Ａ、７１１Ｂは、シール材（図示省略）を介して所定間隔を空けて貼り合わせられている。
透明基板７１１Ａの内側には、ＴＦＴ素子などのスイッチング素子、ＩＴＯ（Ｉｎｄｉｕｍ　Ｔｉｎ　Ｏｘｉｄｅ）などの透明導電体からなる画素電極、配線、配向膜などが形成されている。また、透明基板７１１Ｂの内側面には、前記画素電極に対応する対向電極、配向膜などが形成されている。これにより、アクティブマトリクス型の液晶パネルが構成されている。
透明基板７１１Ａの外径寸法は、透明基板７１１Ｂの外径寸法よりも大きい。
【００８０】
この液晶パネル本体７１０には、光束射出側および光束入射側に塵埃付着を防止する防塵ガラス７１２Ａ、７１２Ｂがそれぞれ密着して貼り付けられている。具体的には、防塵ガラス７１２Ａ、７１２Ｂは、一対の透明基板７１１Ａ、７１１Ｂの基板外面（光束射出側および光束入射側）に貼り付けられている。これら防塵ガラス７１２Ａ、７１２Ｂは、熱伝導性透明材料から構成され、本実施形態では、サファイアから構成されている。この防塵ガラス７１２Ａ、７１２Ｂは、基板外面を被覆して塵埃の付着を防止するものである。このような防塵ガラス７１２Ａ、７１２Ｂの外面に塵埃が付着しても、フォーカス状態とならないため、投写画像上の表示陰となることはない。
【００８１】
透明基板７１１Ａに貼り付けられる防塵ガラス７１２Ａの外径寸法は、透明基板７１１Ａの外径寸法と略同じである。
透明基板７１１Ｂに貼り付けられる防塵ガラス７１２Ｂの外径寸法は、透明基板７１１Ｂの外径寸法と略同じである。
【００８２】
保持枠７２０は、一体的に形成された底面部７２１およびこの底面部７２１の対向する端縁に立設された一対の側面部７２２からなる略Ｃ字形状を有し、液晶パネル本体７１０を内部に収納するものである。
底面部７２１は、略矩形状であり、その中央部分には、液晶パネル本体７１０の画像形成領域に応じた矩形状の開口部７２１Ａが形成されている。
【００８３】
底面部７２１には、光束入射側の防塵ガラス７１２Ｂ用の入射側防塵ガラス位置決め部が、開口部７２１Ａの周辺に少なくとも３箇所設けられている。
本実施形態では、図４、５に示されるように、入射側防塵ガラス位置決め部は、光束入射側の防塵ガラス７１２Ｂの端面に、当接するように設けられた２箇所の第１位置決め部７２１Ｂと、この第１位置決め部が当接する光束入射側の防塵ガラス７１２Ｂの端面と直交する端面に、当接するように設けられた１箇所の第２位置決め部７２１Ｃとからなる。
【００８４】
第１位置決め部７２１Ｂは、ピン状の部材からなり、開口部７２１Ａの図示下側に、かつ底面部７２１の裏面側に設けられている。
なお、本実施形態では、第１位置決め部７２１Ｂは、液晶パネル４４１Ｇ外から導入される冷却風の上流側に配置されていることになるが、下流側に配置されていればより好ましい。
第２位置決め部７２１Ｃは、ピン状の部材からなり、開口部７２１Ａの図示右上側に、かつ底面部７２１の裏面側に設けられている。
これら第１位置決め部７２１Ｂおよび第２位置決め部７２１Ｃは、図５に示されるように、光束入射側に配置される透明基板７１１Ｂの２分の１の厚さと防塵ガラス７１２Ｂとを合わせた厚さに達するように形成されている。
【００８５】
側面部７２２は、図４に戻って、平面視略台形状であり、台形の上底に相当する部分で、底面部７２１と連続しているものである。側面部７２２先端には、保持枠７２０内側に屈曲する折曲リブ７２３が形成されている。
折曲リブ７２３には、略中央部分に側面部７２２から折曲リブ７２３に亘る長孔であるスリット７２３Ａが１箇所形成されている。
スリット７２３Ａは、側面部７２２と交差する部分から折曲リブ７２３の突出方向の半分程度の部分まで形成されている。
【００８６】
折曲リブ７２３先端には、折曲リブ７２３延出方向に沿って離間して配置される一対の切欠溝であるスリット７２３Ｂが計２箇所形成されている。スリット７２３Ｂは、折曲リブ７２３の端縁部分から折曲リブ７２３の突出方向の半分程度の部分まで形成されている。
なお、保持枠７２０は、折曲リブ７２３を介して、上側台座４４６および下側台座４４７と固着されるが、この固着の方法は、半田付けでもよく、接着剤等によるものでもよい。この固着の際には、液晶パネル４４１Ｇ（４４１）のフォーカス調整等のため、若干の隙間を開けるようにする。
【００８７】
枠状部材７３０は、液晶パネル本体７１０の光束射出側に配置され、熱伝導性材料から構成されている。枠状部材７３０は、本実施形態では、４２合金（ヤマハメタニクス（株）製）で構成されている。
枠状部材７３０には、中央に液晶パネル本体７１０の画像形成領域に応じた矩形状の開口部７３０Ａが形成されている。
また、枠状部材７３０は、一対の側面部７２２と対向する位置に形成される一対の折曲部７３１を備えている。
この折曲部７３１は、光束射出側に向けて立設され、側面部７２２に当接接合されている。なお、当接接合部に間隙を持たせるようにして、この間隙に熱伝導と固定を兼ねる、はんだ、または熱伝導性の接着剤を介在させ固着してもよい。放熱性の改善と一対の側面部７２２の干渉防止に有効となる。さらに、枠状部材７３０は、枠状部材７３０の図示右上側の端縁から突出した略半円状の突出部７３２を有している。
【００８８】
枠状部材７３０には、光束射出側の防塵ガラス７１２Ａ用の射出側防塵ガラス位置決め部が、開口部７３０Ａの周辺に少なくとも３箇所設けられている。
本実施形態では、図４、５に示されるように、射出側防塵ガラス位置決め部は、光束射出側の防塵ガラス７１２Ａの端面に、当接するように設けられた２箇所の第１位置決め部７３０Ｂと、この第１位置決め部７３０Ｂが当接する光束射出側の防塵ガラス７１２Ａの端面と直交する端面に、当接するように設けられた１箇所の第２位置決め部７３０Ｃとからなる。
【００８９】
第１位置決め部７３０Ｂは、ピン状の部材からなり、開口部７３０Ａの図示下側に、かつ枠状部材７３０の表面側に設けられている。
なお、本実施形態では、第１位置決め部７３０Ｂは、液晶パネル４４１Ｇ外から導入される冷却風の上流側に配置されていることになるが、下流側に配置されていればより好ましい。
第２位置決め部７３０Ｃは、枠状部材７３０の一部を折り曲げ形成し、突出部７３２に、かつ枠状部材７３０の表面側に設けられている。もちろん、第２位置決め部７３０Ｃは、ピン状部材であってもよい。
これら第１位置決め部７３０Ｂおよび第２位置決め部７３０Ｃは、図５に示されるように、光束射出側に配置される透明基板７１１Ａの２分の１の厚さと防塵ガラス７１２Ａとを合わせた厚さに達するように形成されている。
【００９０】
なお、図５を参照して、液晶パネル本体７１０と、保持枠７２０と、枠状部材７３０とにより、液晶パネル４４１Ｇを組み立てる際の手順を以下に示す。
まず、枠状部材７３０の第１位置決め部７３０Ｂおよび第２位置決め部７３０Ｃにより、光束射出側の防塵ガラス７１２Ａを位置決めして、枠状部材７３０に固定する。この固定は、半田付けにより行う。もちろん、この固定は、熱伝導性接着剤により行ってもよい。
次に、固定された防塵ガラス７１２Ａの上に、予め透明基板７１１Ａ、７１１Ｂを一体化しておいたパネル本体を重ね合わせる。この際の位置決めは、第１位置決め部７３０Ｂおよび第２位置決め部７３０Ｃにより行う。そして、防塵ガラス７１２Ａに透明基板７１１Ａ、７１１Ｂを固定する。この固定には、紫外線硬化型接着剤等が用いられ、この接着剤に紫外線を照射することにより、接着固定される。もちろん、この固定は、熱硬化型接着剤により行ってもよい。
【００９１】
そして、保持枠７２０の第１位置決め部７２１Ｂおよび第２位置決め部７２１Ｃにより、光束入射側の防塵ガラス７１２Ｂを位置決めして、保持枠７２０に固定する。この固定は、半田付けにより行う。もちろん、この固定は、熱伝導性接着剤により行ってもよい。
最後に、固定された防塵ガラス７１２Ｂの上に、透明基板７１１Ｂ側を重ね合わせる。この際の位置決めは、第１位置決め部７２１Ｂおよび第２位置決め部７２１Ｃにより行う。そして、防塵ガラス７１２Ｂに透明基板７１１Ｂを固定する。この固定には、紫外線硬化型接着剤等が用いられ、この接着剤に紫外線を照射することにより、接着固定される。もちろん、この固定は、熱硬化型接着剤により行ってもよい。
【００９２】
〔１−４．冷却構造〕
次に、プロジェクタ１に設けられた空冷式の冷却機構の構成について説明する。プロジェクタ１は、図１に示すように、主に光学装置４４（図２）を冷却する光学装置冷却系Ａと、主に光源装置４１３を冷却する光源冷却系Ｂと、主に電源ユニット３を冷却する電源冷却系Ｃとを備える。
【００９３】
光学装置冷却系Ａは、外装ケース２の下面に形成される図示しない吸気口と、この吸気口の上方に配置される軸流吸気ファン５１と、ライトガイド４７の底面において軸流吸気ファン５１の上方に形成される開口部４Ｂとを備える。
【００９４】
プロジェクタ１の外部の新鮮な冷却空気は、軸流吸気ファン５１により、外装ケース２の吸気口から吸入され、開口部４Ｂを介して、ライトガイド４７内に入り込む。この際、図示を省略するが、ライトガイド４７の下面には、整流板が設けられており、これにより、ライトガイド４７外部の冷却空気は、下から上へと流れるように整流されている。
【００９５】
ライトガイド４７内に導かれた冷却空気は、整流された結果、光学装置４４の下方から上方へと流れ、液晶パネル４４１Ｇの裏面側を通り、上側台座４４６等、射出側偏光板４６０、液晶パネル４４１Ｇ、さらに、入射側偏光板４４４等を冷却しながら、光学装置本体４８の上方へと流れる。
【００９６】
また、光学装置冷却系Ａにおいて、循環する冷却空気は、光学装置４４を冷却する機能に加えて、液晶パネル４４１Ｒ、４４１Ｇ、４４１Ｂの表面等に付着した塵埃を吹き飛ばす機能も有する。このため、液晶パネル４４１Ｒ、４４１Ｇ、４４１Ｂの表面が常に清浄な状態となり、安定した画質を確保できる。
【００９７】
光源冷却系Ｂは、図１に示すように、シロッコファン５２と、ダクト５２Ａと、排気口２Ｂとを備える。この光源冷却系Ｂにおいて、光学装置冷却系Ａを通過した冷却空気は、シロッコファン５２によって吸引され、光源装置４１３内に入り込んで光源ランプ４１１を冷却した後に、ライトガイド４７から出てダクト５２Ａを通り、排気口２Ｂから外部へと排出される。
【００９８】
電源冷却系Ｃは、電源ユニット３の近傍に設けられた軸流排気ファン５３と、排気口２Ｃとを備える。この電源冷却系Ｃにおいて、電源ユニット３による熱によって温められた空気は、軸流排気ファン５３によって吸引され、排気口２Ｃから排出される。この際、プロジェクタ１内全体の空気も同時に排出しており、プロジェクタ１内に熱がこもらないようになっている。
【００９９】
〔１−５．第１実施形態の効果〕
上記の第１実施形態によれば、以下のような効果がある。
（１）液晶パネル本体７１０が一対の側面部７２２を有する保持枠７２０の内部に収納され、側面部７２２により射出側偏光板４６０に対して、離間配置されることとなる。従って、液晶パネル４４１Ｇ（４４１）と射出側偏光板４６０の間に、冷却空気を流すことで、効率的に液晶パネル４４１Ｇ（４４１）の冷却をすることが可能になる。また、一対の側面部７２２を有する保持枠７２０により、射出側偏光板４６０および液晶パネル４４１Ｇ（４４１）の両者が接触することがないため、両者の間で直接、熱が伝わることがなく、効率的に液晶パネル４４１Ｇ（４４１）の冷却をすることが可能となる。さらに、防塵ガラス７１２Ａと防塵ガラス７１２Ｂの両者が熱伝導性の高い部材を用いて枠状部材７３０と保持枠７２０に直接熱伝導可能なように固着され、入射側と射出側の両面から介在物なしで直接放射冷却が可能となり、加えて、一対の側面部７２２が液晶パネル４４１Ｇ（４４１）および、射出側偏光板４６０の大きなヒートシンクとなり、冷却風によって放射冷却を一段と向上させることが可能となる。
【０１００】
（２）液晶パネル本体７１０から発生した熱が、枠状部材７３０に伝達され、枠状部材７３０の折曲部７３１を介して保持枠７２０へ熱を逃がすことができるので、液晶パネル本体７１０を効率的に冷却することができる。
【０１０１】
（３）防塵ガラス７１２Ａ、７１２Ｂは、熱伝導性透明材料（サファイア）から構成されていることにより、液晶パネル本体７１０が発生する熱を、防塵ガラス７１２Ａ、７１２Ｂを介して保持枠７２０に逃がすことができるので、より効率的に液晶パネル本体７１０を冷却することができる。
【０１０２】
（４）第１位置決め部７２１Ｂが防塵ガラス７１２Ｂの下側の端面に当接し、第２位置決め部７２１Ｃがこの第１位置決め部７２１Ｂが当接する光束入射側の防塵ガラス７１２Ｂの端面と直交する端面に当接することにより、防塵ガラス７１２Ｂの２方向の位置決めがなされるので、防塵ガラス７１２Ｂを確実に位置決め・固定することができる。また、第１位置決め部７２１Ｂは、液晶パネル４４１Ｇ（４４１）外から導入される冷却風の下流側に配置されている場合には、冷却風の導入を阻害することがないので、効率的に液晶パネル本体７１０を冷却することができる。
【０１０３】
（５）入射側防塵ガラス位置決め部である第１位置決め部７２１Ｂおよび第２位置決め部７２１Ｃが、透明基板７１１Ｂおよび光束入射側の防塵ガラス７１２Ｂの両方に当接することができるので、透明基板７１１Ｂおよび防塵ガラス７１２Ｂとの位置ずれを起こすことがない。
【０１０４】
（６）第１位置決め部７３０Ｂが防塵ガラス７１２Ａの下側の端面に当接し、第２位置決め部７３０Ｃが光束射出側の防塵ガラスの端面と対向する上側の端面に当接することにより、防塵ガラスの２方向の位置決めがなされるので、防塵ガラスを確実に位置決め・固定することができる。また、第１位置決め部７３０Ｂは、液晶パネル４４１Ｇ（４４１）外から導入される冷却風の下流側に配置されている場合には、冷却風の導入を阻害することがないので、効率的に液晶パネル本体７１０を冷却することができる。
【０１０５】
（７）射出側防塵ガラス位置決め部である第１位置決め部７３０Ｂおよび第２位置決め部７３０Ｃが、透明基板７１１Ａおよび光束射出側の防塵ガラス７１２Ａの両方に当接することができるので、透明基板７１１Ａとこの防塵ガラス７１２Ａとの位置ずれを起こすことがない。
【０１０６】
（８）折曲リブ７２３の部分により、上側台座４４６および下側台座４４７との接触面積を増やすことができる。従って、液晶パネル本体７１０で発する熱を効率的に、液晶パネル４４１Ｇ（４４１）の外に逃がすことができるので、効率的に液晶パネル４４１Ｇ（４４１）を冷却することができる。
【０１０７】
（９）スリット７２３Ｂが形成されていることにより、外部からの熱により保持枠７２０が膨張しても、スリット７２３Ｂにより熱による応力が緩和されるため、保持枠７２０内の液晶パネル本体７１０に応力がかかることを防止することができる。
【０１０８】
（１０）一対の切欠溝であるスリット７２３Ｂにより射出側偏光板４６０の液晶パネル４４１Ｇ（４４１）への位置決めを行う。従って、位置決めの際に、治具等を必要としないので、製造手順の簡略化を図ることができる。
【０１０９】
（１１）外部からの熱により上側台座４４６および下側台座４４７が膨張しても、スリット４４８Ｂ、４４９Ａ、４４９Ｃ、４５０Ａにより熱による応力が吸収されるため、上側台座４４６および下側台座４４７に接続された射出側偏光板４６０や液晶パネル４４１Ｇ（４４１）の相対的な位置が変化することはない。従って、光束入射端面に対して液晶パネル４４１Ｇ（４４１）等が位置ずれを起こすことを確実に防止できる。
【０１１０】
（１２）長孔４５１Ｂにより、光学装置４４外からの冷却風を通すことができるので、効率的に光学装置４４を冷却することができる。
【０１１１】
（１３）取付部４５５が少なくとも２つ以上設けられていることにより、光学装置４４とライトガイド４７との接触面積を増やすことになるから、効率よく光学装置４４で発生した熱をライトガイド４７に逃がすことができるので、光学装置４４を効率よく冷却することができる。
【０１１２】
（１４）取付部４５５により３箇所で、光学装置４４をライトガイド４７に取り付けて、固定するので、光学装置４４をライトガイド４７に確実に固定することができる。
【０１１３】
（１５）基板４６１と上側台座４４６および下側台座４４７との固着により、射出側偏光板４６０で発生する熱が、上側台座４４６および下側台座４４７に逃げることができるので、より一層射出側偏光板４６０の冷却を効率的に行うことができる。
【０１１４】
（１６）基板４６１に形成された無電解ニッケル−リン−メッキ層は、均一な膜厚で形成することができるので、耐食性、耐摩耗性を向上させることができる。
【０１１５】
〔２．本発明の第２実施形態〕
次に、本発明の第２実施形態に係るプロジェクタを図面を用いて説明する。第２実施形態に係るプロジェクタは、前記第１実施形態のプロジェクタ１とは、光学装置本体４８の一部である上側台座４４６および下側台座４４７の構成のみが相違している。このため、前記第１実施形態と同一または相当構成品には同じ符号を付し、説明を省略または簡略する。
【０１１６】
〔２−１．主な構成〕
図６は、光学装置本体４８を上側または下側から見た平面図である。具体的に、図６（Ａ）は、光学装置本体４８を上側からみた図であり、図６（Ｂ）は、光学装置本体４８を下側から見た図である。
図７は、光学装置本体４８がライトガイド４７に取り付けられた状態を示す断面図である。具体的に、図７は、図６のＶＩＩ−ＶＩＩ線での断面を示す図である。
第１実施形態の下側台座４４７は、図４に示されるように、取付部４５５が設けられていた。
これに対して、第２実施形態の上側台座４７６および下側台座４７７は、図６または図７に示されるように、取付部４５５が設けられていない。
また、第１実施形態の上側台座４４６および下側台座４４７は、図４に示されるように、略矩形板状の台座本体４４８と、台座本体４４８の４辺の端縁よりそれぞれ上方垂直に立設されたリブ４４９、４５０、４５０、４５１とを備えて構成されていた。
これに対して、第２実施形態の上側台座４７６および下側台座４７７は、図６または図７に示されるように、直方体状の塊状部材である台座本体４７８のみで構成されている。この台座本体４７８は、前述した４２合金（ヤマハメタニクス（株）製）のように、ガラスと同等の熱膨張係数を有する材料を用いる。
【０１１７】
さらに、第２実施形態の上側台座４７６および下側台座４７７には、図６（Ａ），（Ｂ）に示されるように、クロスダイクロイックプリズムの上側台座４７６および下側台座４７７固定端面に沿って延び、端部が液晶パネル４４１Ｇ（４４１）の複数の接合面を分割する溝４７８Ｃが形成されている。溝４７８Ｃは、上側台座４７６および下側台座４７７の前記接合面の中央部分に形成されている。
【０１１８】
また、上側台座４７６および下側台座４７７には、図６（Ａ），（Ｂ）に示されるように、クロスダイクロイックプリズムの上側台座４７６および下側台座４７７固定端面に沿って延び、端部が液晶パネル４４１Ｇ（４４１）の接合面および射出側偏光板４６０の接合面を分割する第２の溝である溝４７８Ｄが形成されている。
溝４７８Ｄが分割する液晶パネル４４１Ｇ（４４１）の複数の接合面の内側には、射出側偏光板４６０が接合されている。
溝４７８Ｄが分割する液晶パネル４４１Ｇ（４４１）の複数の接合面の外側には、折曲リブ７２３が接合されている。
【０１１９】
さらに、第２実施形態の下側台座４７７には、図６（Ｂ）に示されるように、互いに対向する液晶パネル４４１Ｒ，４４１Ｂに向けて延びる溝４７８Ｃにおいて、液晶パネル４４１Ｇから光束射出側に延びる２つの溝４７８Ｄと交差する２つの位置に、光学装置本体４８をライトガイド４７に案内するためのガイド孔４７８Ｅが形成され、液晶パネル４４１Ｇから光束射出側に延びる溝４７８Ｃと交差する位置に、光学装置本体４８をライトガイド４７に固定するためのネジ孔４７８Ｆが形成されている。
そして、光学装置本体４８は、図７に示されるように、ガイド孔４７８Ｅにライトガイド４７の位置決め突起４７Ａが嵌合することにより、ライトガイド４７に対して位置決めされ、ライトガイド４７の固定用孔４７Ｂを介してネジ６００をネジ孔４７８Ｆに螺合させることによりライトガイド４７に対して固定される。
【０１２０】
〔２−２．第２実施形態の効果〕
上記の第２実施形態によれば、第１実施形態の効果に加えて、以下のような効果がある。
（１７）外部からの熱により上側台座４７６および下側台座４７７が膨張しても、光変調装置の複数の接合面を分割する溝４７８Ｃにより熱による応力が緩和されるため、上側台座４７６および下側台座４７７に接続された射出側偏光板４６０や液晶パネル４４１Ｇ（４４１）の相対的な位置が変化することはない。従って、光束入射端面に対して液晶パネル４４１Ｇ（４４１）等が位置ずれを起こすことを確実に防止できる。
【０１２１】
（１８）溝４７８Ｄが液晶パネル４４１Ｇ（４４１）の接合面および射出側偏光板４６０の接合面を分割するから射出側偏光板４６０と液晶パネル４４１Ｇ（４４１）が直接接触することがない。従って、射出側偏光板４６０と液晶パネル４４１Ｇ（４４１）の両者の間で直接、熱が伝わることがなく、効率的に射出側偏光板４６０および液晶パネル４４１Ｇ（４４１）の冷却をすることが可能となる。
【０１２２】
（１９）光学装置４４は、ガイド孔４７８Ｅによりライトガイド４７内の所定の位置に案内され、ネジ孔４７８Ｆによりライトガイド４７へネジ固定されるので、光学装置４４をライトガイド４７へ確実に位置決め固定することができる。
【０１２３】
〔３．本発明の第３実施形態〕
次に、本発明の第３実施形態に係るプロジェクタを図面を用いて説明する。第３実施形態に係るプロジェクタは、前記第１実施形態のプロジェクタ１とは、光学装置本体４８の一部が相違している。このため、前記第１実施形態と同一または相当構成品には同じ符号を付し、説明を省略または簡略する。
【０１２４】
〔３−１．主な構成〕
第１実施形態の液晶パネル４４１Ｇ（４４１）は、図４に示されるように、折曲リブ７２３には、スリット７２３Ａ、スリット７２３Ｂが形成され、形成されている位置に上記した以外の制限はなく、これらスリット７２３Ａ、スリット７２３Ｂは、主に、外部からの熱による熱応力を緩和するためのものであった。
これに対して、第３実施形態の液晶パネル４４１Ｇ（４４１）は、図８に示されるように、折曲リブ７２３の２箇所のスリット７２３Ｂは、その上下方向の内側端部は、射出側偏光板４６０の上下方向の端縁と対応している。
【０１２５】
また、第１実施形態の液晶パネル４４１Ｇ（４４１）は、図４に示されるように、折曲リブ７２３および射出側偏光板４６０は、略同一平面上に配置されていた。
これに対して、第３実施形態の液晶パネル４４１Ｇ（４４１）は、図８、９に示されるように、折曲リブ７２３の内側すなわち光束入射側に、射出側偏光板４６０が固着されている。
【０１２６】
〔３−２．第３実施形態の効果〕
上記の第３実施形態によれば、第１実施形態の効果に加えて、以下のような効果がある。
（２０）スリット７２３Ｂの上下方向の内側端部は、射出側偏光板４６０の上下方向の端縁と対応しているから、液晶パネル４４１Ｇ（４４１）に対して、射出側偏光板４６０の位置決めを容易に行うことができる。従って、製造手順の簡略化を図ることができる。
【０１２７】
〔４．実施形態の変形〕
なお、本発明は前記各実施形態に限定されるものではなく、本発明の目的を達成できる他の構成等を含み、以下に示すような変形等も本発明に含まれる。
例えば、前記各実施形態において、上側台座４４６および下側台座４４７は、４２合金（ヤマハメタニクス（株）製）からなるものであったが、これに限られず、アルミニウム、マグネシウム、銅または鉄の合金製の部材からなるものでもよく、コバール（ウエスチングハウス（株）製、　成分　Ｎｉ　２９ｗｔ％、Ｃｏ　１７ｗｔ％，Ｆｅ　５４ｗｔ％、膨張係数　４６×１０−７〜５６×１０−７以下同様）からなる。）、フェルニコ等の部材からなるものでもよい。なお、これらは、ガラスの膨張係数に近い膨張係数を有するものである。
【０１２８】
前記各実施形態において、基板４６１は、サファイアからなるものであったが、これに限られず、水晶や石英ガラス等としてもよい。
前記各実施形態において、保持枠７２０は、４２合金（ヤマハメタニクス（株）製）からなるものであったが、これに限られず、アルミニウム、マグネシウム、銅または鉄の合金製の部材からなるものでもよく、コバール、フェルニコ等の部材からなるものでもよい。
【０１２９】
前記各実施形態において、枠状部材７３０は、４２合金（ヤマハメタニクス（株）製）からなるものであったが、これに限られず、アルミニウム、マグネシウム、銅または鉄の合金製の部材からなるものでもよく、コバール、フェルニコ等の部材からなるものでもよい。
前記各実施形態において、防塵ガラス７１２Ａ、７１２Ｂは、サファイアからなるものであったが、これに限られず、水晶や石英ガラス等としてもよい。
【０１３０】
なお、第１位置決め部７２１Ｂおよび第２位置決め部７２１Ｃは、光束入射側に配置される透明基板７１１Ｂの２分の１の厚さと防塵ガラス７１２Ｂとを合わせた厚さ以上、かつ透明基板７１１Ｂの厚さとこの防塵ガラス７１２Ｂとを合わせた厚さよりも小さく形成されていればよい。
また、第１位置決め部７３０Ｂおよび第２位置決め部７３０Ｃは、光束射出側に配置される透明基板７１１Ａの２分の１の厚さと防塵ガラス７１２Ａとを合わせた厚さ以上、かつ透明基板７１１Ａの厚さとこの防塵ガラス７１２Ａとを合わせた厚さよりも小さく形成されていればよい。
【０１３１】
前記第３実施形態において、液晶パネル４４１Ｇ（４４１）は、折曲リブ７２３の内側すなわち光束入射側に、射出側偏光板４６０が固着されていたが、これに限られず、折曲リブ７２３の外側すなわち光束射出側に、射出側偏光板４６０が固着されてもよい。
【０１３２】
【発明の効果】
本発明によれば、光学変換素子および光変調装置両者を効率的に冷却することのできる光学装置、この光学装置を備えた光学ユニットおよびプロジェクタを提供することができるという効果がある。
【図面の簡単な説明】
【図１】本発明の第１実施形態に係るプロジェクタの内部構造を模式的に示す平面図。
【図２】第１実施形態の光学ユニットを模式的に示す平面図。
【図３】第１実施形態の光学装置本体を示す斜視図。
【図４】第１実施形態の光学装置本体を示す分解斜視図。
【図５】第１実施形態の液晶パネルを示す断面図。
【図６】本発明の第２実施形態に係る光学装置本体を上側または下側から見た平面図。
【図７】第２実施形態の光学装置本体がライトガイドに取り付けられた状態を示す断面図。
【図８】本発明の第３実施形態に係る光変調装置の概略を示す斜視図。
【図９】第３実施形態に係る光学装置本体を示す平面図。
【符号の説明】
１・・・プロジェクタ、４４１，４４１Ｂ，４４１Ｇ，４４１Ｒ・・・液晶パネル（光変調装置）、４４３・・・クロスダイクロイックプリズム（色合成光学装置）、４４４・・・入射側偏光板、４４６，４７６・・・上側台座（台座）、４４７，４７７・・・下側台座（台座）、４４８，４７８・・・台座本体、４４８Ａ・・・位置決め孔、４４８Ｂ，４４９Ａ，４４９Ｃ，４５０Ａ，４５０Ｃ・・・スリット、４４９，４５０，４５１・・・リブ、４４９Ｂ，４５０Ｂ，４５１Ｂ・・・長孔、４５４・・・本体、４５５・・・取付部、４５５Ａ・・・取付孔、４６０・・・射出側偏光板、４６１・・・基板、４６１Ａ・・・偏光膜（光学変換膜）、４７８Ｃ，４７８Ｄ・・・溝、４７８Ｅ・・・ガイド孔、４７８Ｆ・・・ネジ孔、７１０・・・液晶パネル本体（光変調装置本体）、７１１Ａ，７１１Ｂ・・・透明基板、７１２Ａ，７１２Ｂ・・・防塵ガラス、７２０・・・保持枠、７２１・・・底面部、７２１Ａ・・・開口部、７２１Ｂ・・・第１位置決め部、７２２Ｃ・・・第２位置決め部、７２２・・・側面部、７２３・・・折曲リブ、７２３Ａ・・・スリット（長孔）、７２３Ｂ・・・スリット（切欠溝）、７３０・・・枠状部材、７３０Ａ・・・開口部、７３０Ｂ・・・第１位置決め部、７３０Ｃ・・・第２位置決め部、７３１・・・折曲部。
【図１】
2004145267.tif 000003
【図２】
2004145267.tif 000004
【図３】
2004145267.tif 000005
【図４】
2004145267.tif 000006
【図５】
2004145267.tif 000007
【図６】
2004145267.tif 000008
【図７】
2004145267.tif 000009
【図８】
2004145267.tif 000010
【図９】
2004145267.tif 000011